(57)【要約】【課題】    本発明は、効率良く配置することができる調理用器具吸着装置を提供する。【解決手段】    調理用器具吸着装置１は、第１の調理用器具１０の磁石Ｍは、第１の取り付け部位２１に吸着して、第１の調理用器具１０は吊り下げられ、第２の調理用器具２０の磁石Ｍは、第２の取り付け部位２２に吸着して、第２の調理用器具２０は吊り下げられ、第３の調理用器具３０の磁石Ｍは、第３の取り付け部位２３に吸着して、第３の調理用器具３０は吊り下げられ、第１の調理用器具１０の調理部Ｃと第２の調理用器具２０の調理部Ｃとの距離Ｄは、第３の調理用器具３０の調理部Ｃの正面視幅寸法ｄより大きく、第１の調理用器具１０の柄部Ｅの延長線と第２の調理用器具２０の柄部Ｅの延長線との間に、又は、第１の調理用器具１０の柄部Ｅと第２の調理用器具２０の柄部Ｅとの間に、第３の調理用器具３０の調理部Ｃが位置し、第１、第２、第３の調理用器具１０、２０、３０が互いに接触しないで、吊り下げられているものである。【選択図】図１
2010057533.tif 000002
【特許請求の範囲】
【請求項１】
壁から離間して取り付けられると共に、磁性体を有する間隔保持部材と、
この間隔保持部材の前記壁と反対側の面には、少なくとも、第１、第２、第３の取り付け部位を有し、
前記第１の取り付け部位と前記第２の取り付け部位は、水平方向に略同一高さを有して、離間した位置関係にあり、
前記第３の取り付け部位は、前記第１の取り付け部位及び前記第２の取り付け部位より低い位置にあり、
柄部に磁石を備え、前記柄部の先端に調理用機能を発揮する調理部とを有する調理用器具を少なくとも、３個有し、
３個の調理用器具は、第１、第２、第３の調理用器具であり、
前記第１の調理用器具の前記磁石は、前記第１の取り付け部位に吸着して、前記第１の調理用器具は吊り下げられ、            
前記第２の調理用器具の前記磁石は、前記第２の取り付け部位に吸着して、前記第２の調理用器具は吊り下げられ、
前記第３の調理用器具の前記磁石は、前記第３の取り付け部位に吸着して、前記第３の調理用器具は吊り下げられ、
前記第１の調理用器具の前記調理部と前記第２の調理用器具の前記調理部との距離は、前記第３の調理用器具の前記調理部の正面視幅寸法より大きく、前記第１の調理用器具の柄部の延長線と前記第２の調理用器具の柄部の延長線との間に、又は、前記第１の調理用器具の柄部と前記第２の調理用器具の柄部との間に、前記第３の調理用器具の前記調理部が位置し、
前記第１、第２、第３の調理用器具が互いに接触しないで、吊り下げられている
ことを特徴とする調理用器具吸着装置。
【請求項２】
壁に取り付けられる間隔保持部材は、正面視略Ｙ字形状である
ことを特徴とする請求項１記載の調理用器具吸着装置。
【請求項３】
壁から離間して取り付けられると共に、磁性体を有する間隔保持部材と、
この間隔保持部材の前記壁と反対側の面には、少なくとも、第１、第２、第３の取り付け部位を有し、
前記第１の取り付け部位と前記第２の取り付け部位は、水平方向に略同一高さを有して、離間した位置関係にあり、
前記第３の取り付け部位は、前記第１の取り付け部位及び前記第２の取り付け部位より高い位置にあり、
柄部に磁石と前記柄部の先端に調理用機能を発揮する調理部とを有する調理用器具を少なくとも、３個有し、
３個の調理用器具は、第１、第２、第３の調理用器具であり、
前記第１の調理用器具の前記磁石は、前記第１の取り付け部位に吸着して、前記第１の調理用器具は吊り下げられ、            
前記第２の調理用器具の前記磁石は、前記第２の取り付け部位に吸着して、前記第２の調理用器具は吊り下げられ、
前記第３の調理用器具の前記磁石は、前記第３の取り付け部位に吸着して、前記第３の調理用器具は吊り下げられ、
前記第１の調理用器具の前記調理部と前記第２の調理用器具の前記調理部との距離は、前記第３の調理用器具の前記調理部の正面視幅寸法より大きく、前記第１の調理用器具の柄部の延長線と前記第２の調理用器具の柄部の延長線との間に、又は、前記第１の調理用器具の柄部と前記第２の調理用器具の柄部との間に、前記第３の調理用器具の前記調理部が位置し、
前記第１、第２、第３の調理用器具が互いに接触しないで、吊り下げられている
ことを特徴とする調理用器具吸着装置。
【請求項４】
壁に取り付けられる間隔保持部材は、正面視略逆Ｙ字形状である
ことを特徴とする請求項３記載の調理用器具吸着装置。
【発明の詳細な説明】
【技術分野】
【０００１】
本発明は、調理用器具吸着装置に係り、特に、効率良く配置することができる調理用器具吸着装置に関する。
【背景技術】
【０００２】
従来、おたま等の調理用器具を壁に複数の取付部材を介して取り付ける場合、該取付部材は、水平方向へ間隔を設けて複数取り付けられる。
そして、調理用器具が接触しないように、前記間隔は大きく取られなければならず、設置場所を大きくとるという問題点が生じた。
【発明の開示】
【発明が解決しようとする課題】
【０００３】
本発明は、前記した問題点を除去するようにした調理用器具吸着装置を提供することを目的としている。
【課題を解決するための手段】
【０００４】
前記した目的を達成するための請求項１記載の調理用器具吸着装置は、壁から離間して取り付けられると共に、磁性体を有する間隔保持部材と、この間隔保持部材の前記壁と反対側の面には、少なくとも、第１、第２、第３の取り付け部位を有し、前記第１の取り付け部位と前記第２の取り付け部位は、水平方向に略同一高さを有して、離間した位置関係にあり、前記第３の取り付け部位は、前記第１の取り付け部位及び前記第２の取り付け部位より低い位置にあり、柄部に磁石を備え、前記柄部の先端に調理用機能を発揮する調理部とを有する調理用器具を少なくとも、３個有し、３個の調理用器具は、第１、第２、第３の調理用器具であり、前記第１の調理用器具の前記磁石は、前記第１の取り付け部位に吸着して、前記第１の調理用器具は吊り下げられ、前記第２の調理用器具の前記磁石は、前記第２の取り付け部位に吸着して、前記第２の調理用器具は吊り下げられ、前記第３の調理用器具の前記磁石は、前記第３の取り付け部位に吸着して、前記第３の調理用器具は吊り下げられ、前記第１の調理用器具の前記調理部と前記第２の調理用器具の前記調理部との距離は、前記第３の調理用器具の前記調理部の正面視幅寸法より大きく、前記第１の調理用器具の柄部の延長線と前記第２の調理用器具の柄部の延長線との間に、又は、前記第１の調理用器具の柄部と前記第２の調理用器具の柄部との間に、前記第３の調理用器具の前記調理部が位置し、前記第１、第２、第３の調理用器具が互いに接触しないで、吊り下げられているものである。
【０００５】
また、請求項２記載の調理用器具吸着装置は、請求項１記載の調理用器具吸着装置において、壁に取り付けられる間隔保持部材は、正面視略Ｙ字形状である。
【０００６】
また、請求項３記載の調理用器具吸着装置は、壁から離間して取り付けられると共に、磁性体を有する間隔保持部材と、この間隔保持部材の前記壁と反対側の面には、少なくとも、第１、第２、第３の取り付け部位を有し、前記第１の取り付け部位と前記第２の取り付け部位は、水平方向に略同一高さを有して、離間した位置関係にあり、前記第３の取り付け部位は、前記第１の取り付け部位及び前記第２の取り付け部位より高い位置にあり、柄部に磁石と前記柄部の先端に調理用機能を発揮する調理部とを有する調理用器具を少なくとも、３個有し、３個の調理用器具は、第１、第２、第３の調理用器具であり、前記第１の調理用器具の前記磁石は、前記第１の取り付け部位に吸着して、前記第１の調理用器具は吊り下げられ、前記第２の調理用器具の前記磁石は、前記第２の取り付け部位に吸着して、前記第２の調理用器具は吊り下げられ、前記第３の調理用器具の前記磁石は、前記第３の取り付け部位に吸着して、前記第３の調理用器具は吊り下げられ、前記第１の調理用器具の前記調理部と前記第２の調理用器具の前記調理部との距離は、前記第３の調理用器具の前記調理部の正面視幅寸法より大きく、前記第１の調理用器具の柄部の延長線と前記第２の調理用器具の柄部の延長線との間に、又は、前記第１の調理用器具の柄部と前記第２の調理用器具の柄部との間に、前記第３の調理用器具の前記調理部が位置し、前記第１、第２、第３の調理用器具が互いに接触しないで、吊り下げられているものである。
【０００７】
また、請求項４記載の調理用器具吸着装置は、請求項３記載の調理用器具吸着装置において、壁に取り付けられる間隔保持部材は、正面視略逆Ｙ字形状である。
【発明の効果】
【０００８】
請求項１記載の調理用器具吸着装置１によれば、第１、第２、第３の調理用器具を壁から離間して磁石を利用して吸着して取り付けるため、簡易且つ迅速に取り付けることができると共に、衛生的で、しかも、第１の調理用器具の調理部と第２の調理用器具の調理部との距離は、第３の調理用器具の調理部の正面視幅寸法より大きく、第１の調理用器具の柄部の延長線と第２の調理用器具の柄部の延長線との間に、又は、第１の調理用器具の柄部と第２の調理用器具の柄部との間に、第３の調理用器具の調理部が位置し、第１、第２、第３の調理用器具が互いに接触しないで、吊り下げられているため、第１、第２、第３の調理用器具を効率良く配置することができる。
【０００９】
また、請求項３記載の調理用器具吸着装置によれば、第１、第２、第３の調理用器具を壁から離間して磁石を利用して吸着して取り付けるため、簡易且つ迅速に取り付けることができると共に、衛生的で、しかも、第１の調理用器具の調理部と第２の調理用器具の調理部との距離は、第３の調理用器具の調理部の正面視幅寸法より大きく、第１の調理用器具の柄部の延長線と第２の調理用器具の柄部の延長線との間に、（又は、第１の調理用器具の柄部と第２の調理用器具の柄部Ｅとの間に）、第３の調理用器具の調理部が位置し、第１、第２、第３の調理用器具が互いに接触しないで、吊り下げられているため、第１、第２、第３の調理用器具を効率良く配置することができる。
【発明を実施するための最良の形態】
【００１０】
本発明の一実施例の調理用器具吸着装置を図面を参照して説明する。
図１乃至図７において、１は調理用器具吸着装置で、調理用器具吸着装置１は、壁Ｋに取り付けられた間隔保持部材２に、複数の調理用器具を吸着して取り付けるものである。
本発明にあっては、柄部Ｅに磁石Ｍを備え、柄部Ｅの先端に調理用機能を発揮する調理部Ｃとを有する調理用器具を少なくとも、３個有すれば良い。３個の調理用器具は、第１、第２、第３の調理用器具１０、２０、３０である。
なお、調理用器具は、手で握る柄部Ｅと柄部Ｅの先端に調理用機能を発揮する調理部Ｃとを有するもので、具体的には、例えば、おたま、菜箸、はさみ、スパチュラ、計量スプーン、ピーラー、ターナー等である。
【００１１】
上述した間隔保持部材２は、壁Ｋから離間して取り付けられると共に、磁性体を有するもので、この間隔保持部材２の壁Ｋと反対側の面２ａには、少なくとも、第１、第２、第３の取り付け部位２１、２２、２３を有し、図１に示すように、第１の取り付け部位２１と第２の取り付け部位２２は、水平方向に略同一高さを有して、離間した位置関係にあり、第３の取り付け部位２３は、第１の取り付け部位２１及び第２の取り付け部位２２より低い位置にある。
そして、第１の調理用器具１０の磁石Ｍは、第１の取り付け部位２１に吸着して、第１の調理用器具１０は吊り下げられ、第２の調理用器具２０の磁石Ｍは、第２の取り付け部位２２に吸着して、第２の調理用器具２０は吊り下げられ、第３の調理用器具３０の磁石Ｍは、第３の取り付け部位２３に吸着して、第３の調理用器具３０は吊り下げられている。
特に、第１の調理用器具１０の調理部Ｃと第２の調理用器具２０の調理部Ｃとの距離Ｄは、前記第３の調理用器具の前記調理部の正面視幅寸法ｄより大きく、第１の調理用器具１０の柄部Ｅの延長線と第２の調理用器具２０の柄部Ｅの延長線との間に、（又は、第１の調理用器具１０の柄部Ｅと第２の調理用器具２０の柄部Ｅとの間に）、第３の調理用器具３０の調理部Ｃが位置し、且つ、第１、第２、第３の調理用器具１０、２０、３０が互いに接触しないで、吊り下げられている。
【００１２】
間隔保持部材２は正面視略Ｙ字形状で、図３乃至図６に示すように、壁Ｋに当接する側のベースＢと、このベースＢに嵌合する平坦な面２ａを有するプレートＰとを有している。
ベースＢは、壁Ｋにビス４０で取り付けられる。４１は、ビス４０を通す穴である。
４２はベースＢに設けられた被係止部（例えば、凸部）で、４３はプレートＰに設けられた被係止部４２に係止する係止部である。
【００１３】
従って、上述した調理用器具吸着装置１によれば、第１、第２、第３の調理用器具１０、２０、３０を壁Ｋから離間して磁石Ｍ、Ｍ、Ｍを利用して吸着して取り付けるため、簡易且つ迅速に取り付けることができると共に、衛生的で、
しかも、第１の調理用器具１０の調理部Ｃと第２の調理用器具２０の調理部Ｃとの距離Ｄは、第３の調理用器具３０の調理部Ｃの正面視幅寸法ｄより大きく、第１の調理用器具１０の柄部Ｅの延長線と第２の調理用器具２０の柄部Ｅの延長線との間に、（又は、第１の調理用器具１０の柄部Ｅと第２の調理用器具２０の柄部Ｅとの間に）、第３の調理用器具３０の調理部Ｃが位置し、第１、第２、第３の調理用器具１０、２０、３０が互いに接触しないで、吊り下げられているため、第１、第２、第３の調理用器具１０、２０、３０を効率良く配置することができる。
【００１４】
上述した実施例においては（図１参照）は、第１の取り付け部位２１と第２の取り付け部位２２は、水平方向に略同一高さを有して、離間した位置関係にあり、第３の取り付け部位２３は、第１の取り付け部位２１及び第２の取り付け部位２２より低い位置にあるようにしたが、本発明は、これに限らず、図８及び図９に示すように、第１の取り付け部位２１と第２の取り付け部位２２は、水平方向に略同一高さを有して、離間した位置関係にあり、第３の取り付け部位２３は、第１の取り付け部位２１及び第２の取り付け部位２２より高い位置としても良い。
かかる場合、壁Ｋに取り付けられる間隔保持部材２は、図８に示すように、正面視略逆Ｙ字形状となる。
また、本実施例（図８及び図９参照）にあっては、上述した実施例（図１乃至図７参照）と同様、柄部Ｅに磁石Ｍを備え、柄部Ｅの先端に調理用機能を発揮する調理部Ｃとを有する調理用器具を少なくとも、３個有すれば良い。３個の調理用器具は、第１、第２、第３の調理用器具１０、２０、３０である。また、調理用器具は、手で握る柄部Ｅと柄部Ｅの先端に調理用機能を発揮する調理部Ｃとを有するもので、具体的には、例えば、菜箸、はさみ、スパチュラ、計量スプーン、ピーラー、ターナー等である。
なお、本実施例（図８及び図９参照）にあっては、上述した実施例（図１乃至図７参照）と同一部分に同一符号を付して、説明の一部を省略する。
【００１５】
即ち、第１の調理用器具１０の磁石Ｍは、第１の取り付け部位２１に吸着して、第１の調理用器具１０は吊り下げられ、第２の調理用器具２０の磁石Ｍは、第２の取り付け部位２２に吸着して、第２の調理用器具２０は吊り下げられ、第３の調理用器具３０の磁石Ｍは、第３の取り付け部位２３に吸着して、第３の調理用器具３０は吊り下げられる。
そして、第１の調理用器具１０の調理部Ｃと第２の調理用器具の調理部Ｃとの距離Ｄ’は、第３の調理用器具３０の調理部Ｃの正面視幅寸法ｄ’より大きく、第１の調理用器具１０の柄部Ｅの延長線と第２の調理用器具２０の柄部Ｅの延長線との間に、（又は、第１の調理用器具１０の柄部Ｅと第２の調理用器具２０の柄部Ｅとの間に）、第３の調理用器具３０の調理部Ｃが位置し、第１、第２、第３の調理用器具１０、２０、３０が互いに接触しないで、吊り下げられている
【００１６】
従って、上述した調理用器具吸着装置１によれば、第１、第２、第３の調理用器具１０、２０、３０を壁Ｋから離間して磁石Ｍ、Ｍ、Ｍを利用して吸着して取り付けるため、簡易且つ迅速に取り付けることができると共に、衛生的で、
しかも、第１の調理用器具１０の調理部Ｃと第２の調理用器具２０の調理部Ｃとの距離Ｄ’は、第３の調理用器具３０の調理部Ｃの正面視幅寸法ｄ’より大きく、第１の調理用器具１０の柄部Ｅの延長線と第２の調理用器具２０の柄部Ｅの延長線との間に、（又は、第１の調理用器具１０の柄部Ｅと第２の調理用器具２０の柄部Ｅとの間に）、第３の調理用器具３０の調理部Ｃが位置し、第１、第２、第３の調理用器具１０、２０、３０が互いに接触しないで、吊り下げられているため、第１、第２、第３の調理用器具１０、２０、３０を効率良く配置することができる。
【図面の簡単な説明】
【００１７】
【図１】図１は、本発明の一実施例の調理用器具吸着装置の概略的正面図である。
【図２】図２は、図１の２−２線による概略的断面図である。
【図３】図３は、図１の間隔保持部材を分解して示す概略分解斜視図である。
【図４】図４は、図３の概略的拡大正面図である。
【図５】図５は、図４の概略的拡大底面図である。
【図６】図６は、図４の６−６線による概略的断面図である。
【図７】図７は、図６の間隔保持部材の接合する前の概略的断面図である。
【図８】図８は、図１の間隔保持部材と異なる他の実施例の調理用器具吸着装置の概略的正面図である
【図９】図９は、図８の９−９線による概略的断面図である。
【符号の説明】
【００１８】
１    …………調理用器具吸着装置
１０  …………第１の調理用器具
２０  …………第２の調理用器具
３０  …………第３の調理用器具
Ｃ    …………調理部
Ｄ    …………距離
Ｅ    …………柄部
Ｍ    …………磁石
ｄ    …………幅寸法
【図１】
2010057533.tif 000003
【図２】
2010057533.tif 000004
【図３】
2010057533.tif 000005
【図４】
2010057533.tif 000006
【図５】
2010057533.tif 000007
【図６】
2010057533.tif 000008
【図７】
2010057533.tif 000009
【図８】
2010057533.tif 000010
【図９】
2010057533.tif 000011